(57)【要約】      （修正有）【課題】外乱によるスイッチの誤動作を防止する。【解決手段】被検知物体の近接を検知する検知電極４Ｒ、４Ｌと、各検知電極４Ｒ、４Ｌの周囲を囲むＧＮＤ電極５と、検知電極４Ｒ、４Ｌの静電容量の変化を電圧等の検出値Ｖに変換する静電容量検知回路７Ｒ、７Ｌと、検出値Ｖに従ってスイッチ出力を行う制御回路２とを備えている。ＧＮＤ電極５は、矩形状の複数の開口部を有し、各開口部にはそれぞれ検知電極４Ｒ、４Ｌが配される。ＧＮＤ電極５は、選択された検知電極に近接した選択されていない検知電極と、被検知物体との間に発生する静電気を遮蔽するように構成されている。【選択図】図３
2008004465.tif 000002
【特許請求の範囲】
【請求項１】
同一平面上に隣接し被検知物体の近接を検知する２以上の検知電極と、
前記検知電極間に配された接地電極と、
前記検知電極の静電容量の変化を電圧等の検出値に変換する静電容量検知回路と、
前記検出値に従ってスイッチ出力を行う制御回路と
を備えたことを特徴とする静電容量式スイッチ。
【請求項２】
前記制御回路のスイッチ出力に応じて点灯状態が制御される照光手段を有し、
前記制御回路は、複数のしきい値と前記検出値の大小関係に応じて前記照光手段の点灯状態を制御することを特徴とする請求項１記載の静電容量式スイッチ。
【請求項３】
前記検知電極及び前記接地電極は、透明電極であることを特徴とする請求項１又は２記載の静電容量式スイッチ。
【請求項４】
前記検知電極及び前記接地電極は、絶縁板上にＩＴＯ（錫ドープ酸化インジウム）、ＺｎＯ（酸化亜鉛）、導電ポリマー（ＰＥＤＯＴ／ＰＳＳ）のいずれか１つを塗布することによって形成された電極パターンであることを特徴とする請求項３記載の静電容量式スイッチ。
【請求項５】
同一平面上に隣接し被検知物体の近接を検知する２以上の検知電極と、
前記検知電極間に配された接地電極と、
前記複数の検知電極を共通に接続する第１の接続状態と、前記複数の検知電極をそれぞれ電気的に分離する第２の接続状態とを切り替えるスイッチと、
前記第１の接続状態で前記共通接続された検知電極と接地との間の静電容量を検出してこれに対応した第１の検出値を出力する第１の静電容量検知回路と、
前記第２の接続状態で前記各検知電極にそれぞれ接続されて前記検知電極と接地との間の静電容量を検出してこれに対応した第２の検出値を出力する複数の第２の静電容量検知回路と、
前記第１の接続状態で前記第１の検出値と第１のしきい値とを比較し、前記第２の接続状態で前記第２の検出値と第２のしきい値とを比較し、これらの大小関係に応じてスイッチ出力を行う制御回路と、
前記スイッチ出力に基づいて点灯状態が制御される照光手段と
を備えたことを特徴とする静電容量式スイッチ。
【発明の詳細な説明】
【技術分野】
【０００１】
本発明は、被検知物体の近接による静電容量変化に応じて例えば照光手段の点灯制御等を行う静電容量式スイッチに関する。
【背景技術】
【０００２】
従来より、透明保護膜の裏側に指などの被検知物体の近接を検知する検知電極を配置し、被検知物体の近接によって変化する検知電極の静電容量に応じて、照光手段の点灯状態を制御する静電容量式スイッチが知られている。
【０００３】
特許文献１には、検知電極の周辺に接地電極を設けると共に、検知電極の裏側に遮蔽電極をレイアウトすることにより、検知電極の検出面や背面のノイズの影響を減らして外部のノイズによる誤動作を防止するように構成された静電容量式スイッチが開示されている。しかしながら、特許文献１に示された静電容量式スイッチは、外部からのノイズを除去するために構成されたものであり、複数の検知電極が配された場合における各検知電極間の誤動作について考慮されたものではない。以下、従来の静電容量式スイッチにおいて、複数の検知電極を配した場合について説明する。
【０００４】
図１４は、従来の静電容量式スイッチにおいて複数の検知電極が配された場合の使用状態を示す図である。ＧＮＤ電極２０は、矩形状電極の平面方向中央部に１つの矩形状の開口部２０ａを形成してなる。この開口部２０ａの内側には、近接して配された２つの検知電極２１Ｒ及び２１Ｌが所定の隙間を介して配されている。ここで、操作者が検知電極２１Ｌを選択しようと検知電極２１Ｒの上方に指をかざすと、指と検知電極２１Ｌとの間に電気力線が発生する一方、指と選択していない検知電極２１Ｒとの間にも電気力線が発生する。
【０００５】
そのため、２以上の検知電極が近接して配されている場合には、被検知物体が静電容量式スイッチに近接すると、選択したい検知電極に加えて選択したくない検知電極までもが被検知物体の近接を検知し、これにより誤ったスイッチ出力を出してしまうという問題点を有する。
【特許文献１】特開２０００−４８６９４
【発明の開示】
【発明が解決しようとする課題】
【０００６】
本発明は、このような問題点に鑑みてなされたものであり、複数の検知電極を有する静電容量式スイッチにおいて、近接して配された各検知電極間での誤動作を防止する静電容量式スイッチを提供することを目的とする。
【課題を解決するための手段】
【０００７】
本発明に係る静電容量式スイッチの第１の態様は、同一平面上に隣接し被検知物体の近接を検知する２以上の検知電極と、前記検知電極間に配された接地電極と、前記検知電極の静電容量の変化を電圧等の検出値に変換する静電容量検知回路と、前記検出値に従ってスイッチ出力を行う制御回路とを備えたことを特徴とする。
【０００８】
第１の態様において、前記制御回路のスイッチ出力に応じて点灯状態が制御される照光手段を有し、前記制御回路は、複数のしきい値と前記検出値の大小関係に応じて前記照光手段の点灯状態を制御するように構成することができる。また、前記検知電極及び前記接地電極は、透明電極として構成することが好ましい。ここで、前記検知電極及び前記接地電極は、絶縁板上にＩＴＯ（錫ドープ酸化インジウム）、ＺｎＯ（酸化亜鉛）、導電ポリマー（ＰＥＤＯＴ／ＰＳＳ）のいずれか１つを塗布することによって形成することができる。
【０００９】
本発明に係る静電容量式スイッチの第２の態様は、同一平面上に隣接し被検知物体の近接を検知する２以上の検知電極と、前記検知電極間に配された接地電極と、前記複数の検知電極を共通に接続する第１の接続状態と、前記複数の検知電極をそれぞれ電気的に分離する第２の接続状態とを切り替えるスイッチと、前記第１の接続状態で前記共通接続された検知電極と接地との間の静電容量を検出してこれに対応した第１の検出値を出力する第１の静電容量検知回路と、前記第２の接続状態で前記各検知電極にそれぞれ接続されて前記検知電極と接地との間の静電容量を検出してこれに対応した第２の検出値を出力する複数の第２の静電容量検知回路と、前記第１の接続状態で前記第１の検出値と第１のしきい値とを比較し、前記第２の接続状態で前記第２の検出値と第２のしきい値とを比較し、これらの大小関係に応じてスイッチ出力を行う制御回路と、前記スイッチ出力に基づいて点灯状態が制御される照光手段とを備えたことを特徴とする。
【発明の効果】
【００１０】
本発明の静電容量式スイッチによれば、検知電極間に接地電極が配されるため、検知電極間での検知感度を低下させることができる。これによって、選択したい検知電極のみが被検知物体の近接を検知することができるため、複数のスイッチ間における誤動作を防止することができる。
【発明を実施するための最良の形態】
【００１１】
以下、添付した図面を参照して、本発明の実施の形態について説明する。
【００１２】
図１は、本発明の第１の実施形態に係る静電容量式スイッチの構成を示す分解斜視図である。
【００１３】
この静電容量式スイッチは、非接触型のセンサ部１と、被検知物体の近接に伴って変化するセンサ部１の状態に応じてスイッチ出力を行う制御回路部２と、このスイッチ出力によって点灯状態が制御される照光手段３とを備えて構成されている。照光手段３は、センサ部１の裏側に配され、制御回路部２によって照度の明暗調整や、点滅状態、点灯及び消灯等の点灯状態が任意の状態に制御されるよう構成されている。
【００１４】
センサ部１は、リジット基板又はフレキシブル基板からなる絶縁基板６上に透光性導電材料を塗布することによって電極パターンが形成されたものであり、図２に示すように、電極パターンとして検知電極パターン４及びＧＮＤ（接地）電極パターン５が形成されている。なお、透光性導電材料としては、ＩＴＯ（錫ドープ酸化インジウム）、ＺｎＯ（酸化亜鉛）、導電ポリマー（ＰＥＤＯＴ／ＰＳＳ）を用いることができる。
【００１５】
ＧＮＤ電極パターン５は、矩形の電極パターンの中央部に２つの開口部５ａ、５ａを形成してなる。検知電極パターン４は、隣接配置された２つの矩形状の検知電極パターン４Ｒ、４Ｌからなり、これら検知電極パターン４Ｒ、４Ｌは、ＧＮＤ電極パターン５の開口部５ａ、５ａの内部にそれぞれ配置されている。検知電極パターン４Ｒ、４Ｌの外周は、開口部５ａの内周よりも一回り小さく、検知電極４Ｒ、４Ｌと開口部５ａの内周との間には所定の隙間が介されている。
【００１６】
図３は、同静電容量式スイッチの電気的構成を示すブロック図である。
【００１７】
検知電極パターン４Ｒ、４Ｌは制御回路部２に接続され、ＧＮＤ電極パターン５は接地されている。
【００１８】
検知電極パターン４Ｒは、制御回路部２が有する静電容量検知回路７Ｒに接続されている。静電容量検知回路７Ｒは、検知電極パターン４Ｒと接地との間の静電容量ＣｘＬに応じた検出値ＶＲを出力する。この静電容量検知回路７Ｒは、例えば発振回路を内蔵し、検知電極パターン４Ｒによって生成される静電容量Ｃｘに応じて発振周波数又はデューティー比が変化する信号を生成する。静電容量検知回路７Ｒによって生成された検出値ＶＲは、２つのコンパレータ８Ｒ、９Ｒに出力される。コンパレータ８Ｒは、一方の入力端に静電容量検知回路７Ｒからの検出値ＶＲを入力し、他方の入力端に第１のしきい値を入力し、検出値ＶＲが第１のしきい値を超えるとコントローラ１０に第１検出信号を出力する。コンパレータ９Ｒは、一方の入力端に静電容量検知回路７Ｒからの検出値ＶＲを入力し、他方の入力端に第２のしきい値を入力し、検出値ＶＲが第２のしきい値を超えると第２検出信号をコントローラ１０に出力する。なお、図４に示すように、第１のしきい値は、被検知物体と検知電極１との距離が距離１であるときの検出値の電圧であり、第２のしきい値は、被検知物体と検知電極２との距離が距離２であるときの検出値の電圧である。また、第２のしきい値は、第１のしきい値よりも大きい。
【００１９】
同様に、検知電極パターン４Ｌは、制御回路部２が有する静電容量検知回路７Ｌに接続されている。静電容量検知回路７Ｌは、検知電極パターン４Ｌと接地との間の静電容量ＣｘＬに応じた検出値ＶＬを出力する。検出値ＶＲは、２つのコンパレータ８Ｌ、９Ｌに出力される。コンパレータ８Ｌ（９Ｌ）は、一方の入力端に静電容量検知回路７Ｌからの検出値ＶＬを入力し、他方の入力端に第１（２）のしきい値を入力し、検出値ＶＬが第１（２）のしきい値を超えるとコントローラ１０に第３（４）検出信号を出力する。
【００２０】
コントローラ１０は、４つのコンパレータ８Ｒ、８Ｌ、９Ｒ、９Ｌから第１〜４検出信号を入力し、これに応じて照光手段の点灯状態を予め定められた点灯状態に設定するようスイッチ出力を行う。
【００２１】
次に、このように構成された静電容量式スイッチの動作について説明する。
【００２２】
図５に示すように、被検知物体が検知電極パターン４Ｒより外側に外れた位置にある場合、検知電極パターン４Ｒの端部からの電気力線は周囲のＧＮＤ電極パターン５に向かうため、検知電極パターン４Ｒの静電容量ＣｘＲはほとんど変化せず、静電容量式スイッチは被検知物体の近接を検知しない。ここで、図６に示すように、操作者が検知電極パターン４Ｒを選択しようと検知電極パターン４Ｒの真上付近に指をかざすと、検知電極パターン４Ｒの中央部から出る電気力線は、被検知物体に向かい、検知電極４Ｒの静電容量ＣｘＲが増加する。一方、検知電極パターン４Ｒから出る電気力線は、被検知物体より距離が近いＧＮＤ電極パターン５に向かうため静電容量ＣｘＬはほとんど変化しない。静電容量検知回路７Ｒから出力される検出値ＶＲは、図４のように変化し、被検知物体と検知電極パターン４Ｒとの距離が距離１になると、コントローラ１０に第１検出信号が入力される。この結果、照光手段５は第１点灯状態に設定される。更に、被検が検知電極パターン４Ｒに近接すると、被検知物体と検知電極４Ｒとの距離が距離２になり、コントローラ１０に第２検出信号が入力される。これによって、照光手段５は第２点灯状態に設定される。
【００２３】
このように、第１の実施形態に係る静電容量式スイッチによれば、検知電極パターン４Ｒ、４Ｌ間にＧＮＤ電極パターン５が配されることによって各検知電極パターン４Ｒ、４Ｌ間における検知感度を低下させることができる。その結果、選択した検知電極パターン４Ｒの周辺に配される検知電極パターン４Ｌは被検知物体の近接を検知せず、近接した複数の検知電極パターン４Ｒ、４Ｌ間における誤動作を防止することができる。
【００２４】
図７は、本発明の第１の実施形態に係る静電容量式スイッチの他の電極パターンを示す平面図である。
【００２５】
ＧＮＤ電極パターン５Ａは、矩形状の開口部５Ａａ、５Ａｂとを備えている。開口部５Ａａの四辺は、ＧＮＤ電極パターン５Ａによって囲まれている一方、開口部５Ａｂは、三辺のみがＧＮＤ電極パターン５Ａによって囲まれ、残る一辺が外側に開口している。
【００２６】
このように、検知電極パターン４Ｒ、４Ｌ間にＧＮＤ電極パターン５が介していれば、検知電極パターン４の全ての辺がＧＮＤ電極パターン５と対向するように構成する必要はない。
【００２７】
図８は、本発明の第２の実施形態に係る静電容量式スイッチの構成を示す分解斜視図である。
【００２８】
この静電容量式スイッチは、非接触型のセンサ部１１と、被検知物体の近接に伴って変化するセンサ部１１の状態に応じてスイッチ出力を行う制御回路部１２と、このスイッチ出力によって点灯状態が制御される３つの照光手段３とを備えて構成されている。また、照光手段３は、センサ部１１に形成された３つの検知電極パターン４の裏側に１つずつ配されている。
【００２９】
センサ部１１は、図９に示すように、第１の実施形態と同様に検知電極パターン４とＧＮＤ電極パターン５Ｂとを備えて構成されている。ＧＮＤ電極パターン５Ｂは、平面的な矩形の電極パターンの中央部に３つの矩形状の開口部５Ｂａが形成されており、各開口部５Ｂａには所定の間隔を介して検知電極パターン４Ａ、４Ｂ、４Ｃが配置されている。
【００３０】
図１０は、第２の実施形態に係る静電容量式スイッチの電気的構成を示すブロック図である。
【００３１】
検知電極パターン４Ａ、４Ｂ、４Ｃは、制御回路部１２に接続される。一方、ＧＮＤ電極パターン５Ｂは接地される。
【００３２】
検知電極パターン４Ａは、選択回路１３が有するＳＷ１を介して静電容量検知回路７Ａに接続されると共に、選択回路１３が有するＳＷ４Ａを介して静電容量検知回路１４に接続される。検知電極パターン４Ｂは、選択回路１３が有するＳＷ２を介して静電容量検知回路７Ｂに接続されると共に、選択回路１３が有するＳＷ４及びＳＷ５を介して静電容量検知回路１４に接続される。また、検知電極４Ｃは、選択回路１３が有するＳＷ３を介して静電容量検知回路７Ｃに接続されると共に、選択回路１３が有するＳＷ４、ＳＷ５、及びＳＷ６を介して静電容量検知回路１４に接続される。
【００３３】
ここで、選択回路１３におけるＳＷ１〜ＳＷ６の切り替え動作について説明する。選択回路１３は、第１接続状態又は第２接続状態のいずれかの状態に設定される。第１接続状態では、ＳＷ１〜ＳＷ３はＯＦＦ、ＳＷ４〜ＳＷ６はＯＮであり、第２接続状態では、ＳＷ１〜ＳＷ３はＯＮ、ＳＷ４〜ＳＷ６はＯＦＦである。すなわち、第１接続状態では、すべての検知電極パターン４Ａ、４Ｂ、４Ｃが静電容量検知回路１４に共通接続され、第２接続状態では、検知電極パターン４Ａ、４Ｂ、４Ｃは、それぞれ静電容量検知回路７Ａ、７Ｂ、７Ｃに接続される。
【００３４】
第１接続状態において、検知電極パターン４Ａ、４Ｂ、４Ｃの静電容量変化の和は、静電容量検知回路１４によって検出値に変換されコンパレータ１５に出力される。コンパレータ１５は、一方にこの検出値を入力し、他方に第１のしきい値を入力し、検出値が第１のしきい値より大きくなるとコントローラ１６に第１検出信号を出力する。
【００３５】
第２接続状態において、検知電極パターン４Ａ、４Ｂ、４Ｃの静電容量変化は、それぞれ静電容量検知回路７Ａ、７Ｂ、７Ｃによって検出値に変換されコンパレータ８Ａ、８Ｂ、８Ｃに出力される。コンパレータ８Ａ、８Ｂ、８Ｃは、一方に検出値を入力し、他方に第２のしきい値を入力し、検出値が第２のしきい値より大きくなるとコントローラ１６に第２、３、４検出信号を出力する。
【００３６】
ここで、第１しきい値及び第２のしきい値は、図１１に示すように設定されている。第１のしきい値は、第１接続状態において被検知物体と検知電極４Ａ、４Ｂ、４Ｃとの距離が距離１になったときの値であり、第２のしきい値は、第２接続状態において被検知物体と検知電極４Ａ、４Ｂ、４Ｃとの距離が距離２になったときの値である。なお、距離１は、距離２よりも大きい。
【００３７】
コントローラ１６は、第１接続状態及び第２接続状態において、入力された第１〜４検出信号に基づいて３つの照光手段３を予め設定された点灯状態に制御すると共に、第１接続状態において第１検出信号を入力すると、選択回路１３に制御入力を行って第２接続状態に設定する。
【００３８】
次に、このように構成された静電容量式スイッチの動作について説明する。
【００３９】
はじめに、選択回路１３は第１接続状態に設定され、検知電極パターン４Ａ、４Ｂ、４Ｃは、すべて静電容量検知回路１４に共通接続されている。ここで、被検知物体が静電容量式スイッチに近接すると、静電容量検知回路１４から出力される検出値は図１１に示すように増加する。ここで、被検知物体と検知電極パターン４Ａ、４Ｂ、４Ｃとの距離が距離１になると、コンパレータ１５は、第１検出信号をコントローラ１６に出力する。コントローラ１６は、第１検出信号に応じた点灯状態に複数の照光手段を制御すると共に、第２接続状態に切り替えるよう選択回路１３に制御出力を行う。
【００４０】
次に、選択回路１３の接続状態が第２接続状態に切り替わった状態において、例えば、操作者が検知電極パターン４Ｂを選択しようとすると、検知電極パターン４Ｂに接続された静電容量検知回路７Ｂの静電容量が増加する。静電容量検知回路７Ｂから出力される検出値が、第２のしきい値を超えると、コンパレータ８Ｂは、第３検出信号をコントローラ１６に出力し、コントローラ１６は第３検出信号に応じて照光手段３の点灯状態を制御する。一方、選択されていない検知電極パターン４Ａ、４Ｃから出る電気力線は、被検知物体よりも近い位置に存在するＧＮＤ電極パターンに向かうため（図８）、検知電極パターン４Ａ、４Ｃに接続された静電容量検知回路７Ａ、７Ｃから出力される検出値はほとんど変化しない。
【００４１】
このように、被検知物体が静電容量式スイッチから遠方にあるときは、検知電極パターン４Ａ、４Ｂ、４Ｃを１つの静電容量検知回路１４に共通接続させることにより高感度で被検知物体の近接を検知し、被検知物体が静電容量式スイッチに近接したときは、各検知電極パターンをそれぞれ静電容量検知回路７Ａ、７Ｂ、７Ｃに接続することによって、標準感度で被検知物体の近接を検知することができる。また、第２の実施形態では、複数の検知電極パターン４Ａ、４Ｂ、４Ｃを設置するため、検知電極パターン４Ａ、４Ｂ、４Ｃは近接して配されることが好ましいが、各検知電極パターン４Ａ、４Ｂ、４Ｃ間にＧＮＤ電極パターン５Ｂが配置されることによって、標準感度におけるスイッチ間の誤作動を防止することができる。
【００４２】
第１及び第２の実施形態では、しきい値を２つ設け、このしきい値と検出値を比較することによって照光手段３の点灯制御を行っていたが、しきい値の数はこれに限定されるものではなく、１以上の任意の数に設定することができる。
【００４３】
第１及び第２の実施形態において、照光手段３はセンサ部１の裏側に配されているが、これは位置を限定するものではなく、任意の位置に配することができる。また、照光手段３は任意の数だけ配することができる。この場合、すべての照光手段３を制御回路に接続し、検出値に応じて複数の照光手段の点灯制御を行えばよい。
【００４４】
図１２は、本発明に係る静電容量式スイッチの他のセンサ部の構成を示す平面図である。矩形状のＧＮＤ電極パターン１７の中央部には、開口部１７ａが形成されている。この開口部１７ａは、２つの正六角形の互いの一部を紙面左右方向に重ねた形状であり、この開口部１７ａには２つの六角形の検知電極パターン１８が左右方向に隙間を介して配されている。このように、複数の検知電極パターン間に配されるＧＮＤ電極パターン１７は、必ずしも検知電極パターン１８間で繋がっている必要はなく、検知電極パターン間の紙面上下方向で一部が切り離されていてもよい。このように、検知電極間の上下方向ではＧＮＤ電極パターン１７を切り離すよう構成することで、検知電極パターン間の距離を短くすることができ、これによりセンサ部の小型化を図ることができる。
【００４５】
また、検知電極パターン１８の形状は、六角形でなくてもよく、例えば、図１３に示すような円形に構成することがきできる。矩形状のＧＮＤ電極パターン１９の中央部には、２つの円の左右方向の一部を互いに重ね合わせた形の開口部１９ａが形成されている。この開口部１９ａには、所定の隙間を介して円形の検知電極パターン２０が配されている。このように、検知電極パターン形状を任意の形に構成することができる。
【図面の簡単な説明】
【００４６】
【図１】本発明の第１の実施形態に係る静電容量式スイッチの構成を示す斜視図である。
【図２】第１の実施形態に係る静電容量式スイッチの電気的構成を示すブロック図である。
【図３】距離としきい値との関係を示す図である。
【図４】第１の実施形態に係る静電容量式スイッチの使用状態を示す斜視図である。
【図５】第１の実施形態に係る静電容量式スイッチの他の使用状態を示す斜視図である。
【図６】第１の実施形態に係る静電容量式スイッチの他の電極パターンを示す平面図である。
【図７】第１の実施形態に係る静電容量式スイッチの電極パターンを示す平面図である。
【図８】第１の実施形態に係る静電容量式スイッチの他の電極パターンを示す平面図である。
【図９】本発明の第２の実施形態に係る静電容量式スイッチの構成を示す斜視図である。
【図１０】第２の実施形態に係る静電容量式スイッチの電気的構成を示すブロック図である。
【図１１】距離としきい値との関係を示す図である。
【図１２】センサ部の他の構成例を示す平面図である。
【図１３】センサ部の更に他の構成例を示す平面図である。
【図１４】従来の静電容量式スイッチにおいて検知電極を複数配した場合の使用状態を示す分解斜視図である。
【符号の説明】
【００４７】
１，１１…センサ部、２，１２…制御回路部、３…照光手段、４、１８、２０…検知電極パターン、５、１７、１９…ＧＮＤ電極パターン、７，１４…静電容量検知回路、８…コンパレータ、１０…コントローラ、２０…ＧＮＤ電極、２１…検知電極。
【図１】
2008004465.tif 000003
【図２】
2008004465.tif 000004
【図３】
2008004465.tif 000005
【図４】
2008004465.tif 000006
【図５】
2008004465.tif 000007
【図６】
2008004465.tif 000008
【図７】
2008004465.tif 000009
【図８】
2008004465.tif 000010
【図９】
2008004465.tif 000011
【図１０】
2008004465.tif 000012
【図１１】
2008004465.tif 000013
【図１２】
2008004465.tif 000014
【図１３】
2008004465.tif 000015
【図１４】
2008004465.tif 000016